【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
使用者が着座可能な便座部と、
使用者の局部に洗浄水を噴出する洗浄水噴出手段と、
使用者の局部周辺の被乾燥面に加圧空気を噴出する空気噴出手段と、
前記被乾燥面に温風を送風する加熱手段と、
を備え、
前記空気噴出手段と前記加熱手段を同時に駆動し、加圧空気と温風との混合噴流を前記被乾燥面に噴射する第１の乾燥と、
前記空気噴出手段だけを駆動する第２の乾燥と、
前記加熱手段だけを駆動する第３の乾燥を有し、
前記第１の乾燥は、被乾燥面へ加圧空気を噴射する前に予め温風を吹き出す予熱工程を経て行う衛生洗浄装置。
【請求項２】
前記第１の乾燥の被乾燥面へ加圧空気を噴射する前に予め温風を吹き出す前記予熱工程は、前記加熱手段のエアファンの風量を低下させてヒータの温度上昇を早くする請求項１に記載の衛生洗浄装置。
【請求項３】
前記第１から前記第３の乾燥の組合せによって複数の乾燥運転モードを有する請求項１に記載の衛生洗浄装置。
【請求項４】
前記乾燥運転モードは、前記第１の乾燥を所定時間行う工程１と、前記第３の乾燥を所定時間行う工程２を順次運転するモードを有した請求項３に記載の衛生洗浄装置。
【請求項５】
前記第１の乾燥における温風吹き出し条件と、前記第３の乾燥における温風吹き出し条件を変更した請求項１から４のいずれか１項に記載の衛生洗浄装置。
【請求項６】
加圧空気の噴射運転は、被乾燥面に付着する水滴を噴流により被乾燥面の中心部に集める工程と、集めた水滴を吹き飛ばす工程を有する請求項１から５のいずれか１項に記載の衛生洗浄装置。
【手続補正２】
【補正対象書類名】明細書
【補正対象項目名】全文
【補正方法】変更
【補正の内容】
【発明の詳細な説明】
【発明の名称】衛生洗浄装置
【技術分野】
【０００１】
本発明は、空気を噴出と温風により濡れた表面を乾燥させる乾燥機能を備えた衛生洗浄装置に関する。
【背景技術】
【０００２】
人体の局部を洗浄する衛生洗浄装置においては、使用者の好みに応じた洗浄を実現すべく各種の機能が案出されてきた。使用者は、各種機能を用いた衛生洗浄装置を用いて局部洗浄を行い、トイレットペーパー等の紙により局部に付着した水滴の除去を行っていた。しかし、近年、トイレットペーパー等の紙の代替として、乾燥装置が提案されている（例えば、特許文献１参照）。図１２は従来の乾燥装置を備えた衛生洗浄装置の一例を示す模式的平面図。図１３はこの従来の衛生洗浄装置の模式的側断面図である。
【０００３】
図１２および図１３に示すように、衛生洗浄装置は、便器１上に配置された便座２、便蓋３、衛生洗浄装置の本体ケース４および９は水洗タンク（ロータンク）を含んで構成されている。
【０００４】
本体ケース４には、温風吹出装置５からの温風を吹出す温風吹出口７と、人体局部に温水を噴射する洗浄水噴射ノズル８と、この洗浄水噴射ノズル８に温水を供給する洗浄水送水用ポンプ１１および温水タンク１２と、空気圧縮機１３で圧縮した空気を溜める高圧空気溜め１４と、高圧空気溜め１４の出口を開閉する電磁弁１５を内蔵している。
【０００５】
便座２には、内部に設けた空洞１６と、この空洞１６内の空気を噴出する複数の孔よりなる空気噴出ノズル１８を有し、電磁弁１５と空洞１６を高圧ホース１７で接続している。
【０００６】
人体１０が便座２に着座し用便後、洗浄操作を行うと、洗浄水送水用ポンプ１１が稼働し、温水タンク１２を通して洗浄水噴射ノズル８より温水が被洗浄面に噴射され、これにより被洗浄面を洗浄する。洗浄後乾燥操作により空気圧縮機１３が稼働し、高圧空気溜め１４、電磁弁１５、高圧ホース１７、空洞１６および空気噴出ノズル１８を通して高圧空気が被洗浄面に噴出し、被洗浄面に付着した水滴を吹き飛ばして飛散または拡散させる。つぎに温風吹出装置５を稼働させ風路６を通して温風吹出口７より温風を被洗浄面に吹き出し被洗浄面の乾燥を行う。
【特許文献１】特開昭５８−２１８５３１号公報
【発明の開示】
【発明が解決しようとする課題】
【０００７】
前記従来の構成では、高圧空気溜め１４の圧縮空気を空気噴出ノズル１８から開放することで短時間に被洗浄面の水滴を吹き飛ばしていた。
【０００８】
しかしながら、従来例のように空気圧縮機１３から一旦高圧空気溜め１４に空気を貯留すると、加圧時に加熱された空気は高圧空気溜め１４からの放熱によって冷却されてしまい、圧縮空気を空気噴出ノズル１８から開放する際に、空気が膨張により熱が奪われて、使用者に極度の冷風感を与えてしまう。さらに人体局部に付着する水滴が蒸発するため潜熱により更に冷たさを感じてしまう。
【０００９】
このように濡れた人体局部に圧縮空気を噴射させると、特に冬場は使用者に耐え難い冷風感を与えてしまっていた。
【００１０】
これら課題を解消する方法として、圧縮空気を被洗浄面に噴出しながら温風も吹き出す方法があるが、単純に両者を同時に運転するだけでは、気温によって温風が熱かったり、温度ムラが発生したり、温度感覚や冷風感覚の個人差に対応できなかったりした。
【００１１】
本発明の目的は、使用者へ冷風感を与えることなく短時間で効率よく被乾燥面を乾燥できる乾燥機能を備えた衛生洗浄装置を提供することである。
【課題を解決するための手段】
【００１２】
本発明に係る衛生洗浄装置は、使用者が着座可能な便座部と、使用者の局部に洗浄水を噴出する洗浄水噴出手段と、使用者の局部周辺の被乾燥面に加圧空気を噴出する空気噴出手段と、前記被乾燥面に温風を送風する加熱手段と、を備え、前記空気噴出手段と前記加熱手段を同時に駆動し、加圧空気と温風との混合噴流を前記被乾燥面に噴射する第１の乾燥と、前記空気噴出手段だけを駆動する第２の乾燥と、前記加熱手段だけを駆動する第３の乾燥を有し、前記第１の乾燥は、被乾燥面へ加圧空気を噴射する前に予め温風を吹き出す予熱工程を経て行うもので、使用状況や使用者の好み応じた乾燥が可能である。
【発明の効果】
【００１３】
本発明によれば、乾燥条件を選択できるので、使用者に冷風感を与えることなく短時間で効率よく被乾燥面を乾燥できる。この場合、特に、第１の乾燥は、被乾燥面へ加圧空気を噴射する前に予め温風を吹き出す予熱工程を経て行うものであり、第１の乾燥運転を開始する際に加圧空気に誘引される温風温度が予め暖められているので、使い始めから使用者に冷風感を与えることなく、被乾燥面の水滴を効率よく除去できるものである。
【発明を実施するための最良の形態】
【００１４】
第１の発明は、使用者が着座可能な便座部と、使用者の局部に洗浄水を噴出する洗浄水噴出手段と、使用者の局部周辺の被乾燥面に加圧空気を噴出する空気噴出手段と、前記被乾燥面に温風を送風する加熱手段と、を備え、前記空気噴出手段と前記加熱手段を同時に駆動し、加圧空気と温風との混合噴流を前記被乾燥面に噴射する第１の乾燥と、前記空気噴出手段だけを駆動する第２の乾燥と、前記加熱手段だけを駆動する第３の乾燥を有し、前記第１の乾燥は、被乾燥面へ加圧空気を噴射する前に予め温風を吹き出す予熱工程を経て行うものである。
【００１５】
これは、濡れた被乾燥面に加圧空気を噴射して水滴を吹き飛ばす際に、例えば冬場等の気温の低い状況では温風を前記加圧空気により誘引しながら混合して被乾燥面に噴射する第１の乾燥で使用者に冷風感を与えることなく水滴を除去する。また、夏場などの気温の高い状況では、加圧空気だけを被乾燥面に噴射する第２の乾燥を用いて快適に水滴を除去する。さらに加圧空気を当てたくない状況では、温風だけを被乾燥面に吹き出す第３の乾燥を用いる。
【００１６】
このように使用者に冷風感を与えることなく、使用状況や使用者の好みに応じた乾燥が可能である。
【００１７】
この場合、特に、前記第１の乾燥は、被乾燥面へ加圧空気を噴射する前に予め温風を吹き出す予熱工程を経て行うものである。これにより、第１の乾燥運転を開始する際に加圧空気に誘引される温風温度が予め暖められているので、使い始めから使用者に冷風感を与えることなく、被乾燥面の水滴を効率よく除去できるものである。
【００１８】
第２の発明は、特に、第１の発明の前記第１の乾燥の被乾燥面へ加圧空気を噴射する前に予め温風を吹き出す前記予熱工程は、前記加熱手段のエアファンの風量を低下させてヒータの温度上昇を早くするものである。これにより、予熱工程におけるヒータの温度上昇を早くすることができる。
【００１９】
第３の発明は、特に、第１の発明の第１から第３の乾燥の組合せによって複数の乾燥運転モードを有するものである。これにより、例えば次のような運転モードが考えられる。
【００２０】
「短時間乾燥モード」第１の乾燥のみ運転。
【００２１】
「しっかり乾燥モード」第１の乾燥運転後第３の乾燥運転。
【００２２】
「夏場乾燥モード」第２の乾燥のみ運転。
【００２３】
「温風モード」第３の乾燥のみ運転。
【００２４】
このように使用者の使い方や好みに応じた運転モードが設定可能となる。
【００２５】
第４の発明は、特に、第３の発明の乾燥運転モードに前記第１の乾燥を所定時間行う工程１と、前記第３の乾燥を所定時間行う工程２を順次運転するモードを有することにより、使用者に冷風感を与えることなく、短時間で確実に乾燥をすることができる。
【００２６】
また第１の乾燥運転は、加圧空気を使用するため、運転音が大きく、空気を加圧するためのポンプなどの加圧手段の寿命に限界があるため、できるだけ短時間運転としたい。本発明のように第１の乾燥と第３の乾燥を組み合わせることにより、第１の乾燥の運転時間を最小限にして水滴を除去し、第３の乾燥で被乾燥面をサラット仕上げることができる。
【００２７】
第５の発明は、特に、第１から第４のいずれかひとつの発明の第１の乾燥における温風吹き出し条件と、第３の乾燥における温風吹き出し条件を変更したものである。これは、第１の乾燥にける温風は圧縮空気の誘引により温風温度が下がるため、温風温度を上げるように変更するもので、その手段としては、発熱量を上げるか、風量を低下させるか、またはその両者が考えられる。さらに積極的に風量を上げつつ、それ以上に発熱量を上げる方法もある。
【００２８】
これにより、使用者の冷風感を防止するだけでなく、より乾燥を促進することができる。
【００２９】
第６の発明は、特に、第１から第５のいずれかひとつの発明の加圧空気の噴射運転に、被乾燥面に付着する水滴を噴流により被乾燥面の中心部に集める工程と、集めた水滴を吹き飛ばす工程を有するものである。これにより、加圧空気により付着水滴が飛散することなく、効率的に水滴を除去することができる。また、効率的水滴除去が可能となるので、乾燥装置を小型化することができる。
【００３０】
以下、本実施の形態について、図面を参照しながら説明する。なお、本実施の形態によって本発明が限定されるものではない。
【００３１】
（実施の形態１）
図１は本発明の一実施の形態に係る衛生洗浄装置およびそれを備えるトイレ装置を示す外観斜視図である。トイレ装置１０００はトイレットルーム内に設置される。
【００３２】
トイレ装置１０００において、便器６００には衛生洗浄装置１００が取り付けられる。衛生洗浄装置１００は、本体部２００、遠隔操作装置３００、便座部４００および蓋部５００により構成される。
【００３３】
本体部２００には、便座部４００および蓋部５００が開閉可能に取り付けられている。また、本体部２００には、空気噴出手段である乾燥ノズル２０を含む乾燥装置５０と、洗浄水を噴出するための洗浄水噴出手段３０と、加熱手段４０とが設けられるとともに、制御部が内蔵されている。
【００３４】
図１では、本体部２００の正面上部に設けられる着座センサ６１０が示されている。この着座センサ６１０は、例えば反射型の赤外線センサである。この場合、着座センサ６１０は、人体から反射された赤外線を検出することにより便座部４００上に使用者が存在することを検知する。
【００３５】
入室検知センサ７００は、トイレットルームの入口等に取り付けられる。入室検知センサ７００は、例えば反射型の赤外線センサである。この場合、入室検知センサ７００は、人体から反射された赤外線を検出した場合にトイレットルーム内に使用者が入室したことを検知する。
【００３６】
本体部２００の制御部は、遠隔操作装置３００、入室検知センサ７００および着座センサ６１０から送信される信号に基づいて、衛生洗浄装置１００の各部の動作を制御する。
【００３７】
空気噴出手段５０は、加圧空気を供給するエアポンプ５１と、この加圧空気を噴射する乾燥ノズル２０と、乾燥ノズル２０から噴射される加圧空気の噴流を前後左右に移動するために、乾燥ノズル２０を駆動する駆動手段５２とにより構成されており、空気噴出手段５０から噴射する加圧空気は被乾燥面に到達する風速が秒速２０〜３０ｍの能力を備えており、被乾燥面における噴流の当接範囲は直径約１ｃｍ程度の大きさとなっている。
【００３８】
乾燥ノズル２０には、洗浄水噴出手段３０の洗浄ノズル部３３が一体で構成されている。
【００３９】
洗浄水噴射手段３０は、洗浄ノズル部３３以外に水道水の供給を開閉する開閉弁と、水道水を加熱する温水加熱手段３１と、温水加熱手段３１からの温水を洗浄ノズル部３３の方向と便器６００の内部方向とに流路を切換える切換弁３２とで構成されており、駆動手段５２は乾燥ノズル２０と共用している。
【００４０】
加熱手段４０は、内臓のヒータに送風して温風を供給するエアファン４１と、この温風を温風噴出口４２に導くダクト４３により構成されており、温風噴出口４２より噴出する温風は前記空気噴出手段５０から噴出する加圧空気の流速より遅く、秒速１０ｍ以下であり、被乾燥面に対する当接面積は広く被乾燥面の略全面に拡散する構成となっている。
【００４１】
図２は、図１の遠隔操作装置３００の正面図である。遠隔操作装置３００は、コントローラ本体部３０１の下部にコントローラ蓋部３０２が開閉自在に設けられた構造を有する。
【００４２】
図２（ａ）に示すように、コントローラ蓋部３０２が閉じられた状態で、コントローラ本体部３０１の上部には乾燥モード選択スイッチ３２０ａ，３２０ｂ，３２０ｃ、強さ調整スイッチ３２２，３２３および位置調整スイッチ３２５，３２６が設けられ、コントローラ蓋部３０２には停止スイッチ３１１、乾燥スイッチ３１４、おしりスイッチ３１２お
よびビデスイッチ３１３が設けられている。
【００４３】
使用者により、上記各スイッチが操作される。これにより、遠隔操作装置３００から図１の本体部２００に各スイッチに応じた所定の信号が無線送信される。本体部２００の制御部１５０（図３、図４）は、受信した信号に基づいて本体部２００（図１）および便座部４００（図１）の各構成部の動作を制御する。
【００４４】
例えば、使用者がおしりスイッチ３１２またはビデスイッチ３１３を操作することにより、後述するノズル部２０（図３）から使用者の局部に洗浄水が噴出される。また、使用者が停止スイッチ３１１を操作することにより、ノズル部２０から使用者の局部への洗浄水の噴出が停止される。
【００４５】
使用者が乾燥スイッチ３１４を操作することにより、使用者の局部の被乾燥面に後述する空気噴出手段５０（図４）から加圧空気が噴出されると同時に加熱手段４０（図４）から温風が吹き出される。また、使用者が乾燥モードスイッチ３２０ａ，３２０ｂ，３２０ｃを選択操作することにより、前述の使用者の局部に噴出される乾燥空気の噴出条件が変更され、使用状況や使用者の好みにより任意に選択することが可能となっている。乾燥モードスイッチ３２０ａは短時間で乾燥を終了したい場合の「急速乾燥運転」、乾燥モードスイッチ３２０ｂは局部を確実に乾燥させてさらっと仕上げる「しっかり乾燥運転」、乾燥モードスイッチ３２０ｃは加圧空気を当てたくない場合に温風だけを吹き出す「温風乾燥運転」、をそれぞれ選択できるようになっている。
【００４６】
また、使用者が強さ調整スイッチ３２２，３２３を操作することにより、使用者の局部に噴出される洗浄水の流量および圧力等が調整される。
【００４７】
さらに、使用者が位置調整スイッチ３２５，３２６を操作することにより、後述する洗浄ノズル３３（図３）の位置が調整される。それにより、使用者の局部への洗浄水の噴出位置が調整される。
【００４８】
図２（ｂ）に、コントローラ蓋部３０２が開かれた状態の遠隔操作装置３００の正面図が示されている。図２（ｂ）に示すように、コントローラ蓋部３０２により覆われるコントローラ本体部３０１の下部には、上述の停止スイッチ３１１、乾燥スイッチ３１４、おしりスイッチ３１２およびビデスイッチ３１３に加えて、自動開閉スイッチ３３１、温風温度調整スイッチ３４０、水温調整スイッチ３３２、便座温度調整スイッチ３３３、除菌スイッチ３３５および便器洗浄スイッチ３３６が設けられている。
【００４９】
これらのスイッチが操作される場合にも、遠隔操作装置３００から本体部２００に各スイッチに応じた所定の信号が無線送信される。これにより、本体部２００の制御部９０は、受信した信号に基づいて本体部２００および便座部４００の各構成部の動作を制御する。
【００５０】
自動開閉スイッチ３３１はつまみにより構成されている。使用者が自動開閉スイッチ３３１のつまみを操作することにより、蓋部５００（図１）の開閉動作が設定される。すなわち、自動開閉スイッチ３３１のつまみがオンの位置にある場合、使用者のトイレットルームへの入室に応じて蓋部５００が開閉される。
【００５１】
使用者が温風温度調整スイッチ３４０を操作することにより、加熱手段４０から使用者の局部に吹き出される温風の温度が調整される。この温風温度調整スイッチ３４０は、一回押す毎に設定が、「高」、「中」、「低」、「切」と切り替わる。この「切」の設定で運転した場合は、ヒータ４３（図４）がオフとなり送風だけとなる。
【００５２】
また、使用者が水温調整スイッチ３３２を操作することにより、ノズル部２０から使用者の局部に噴出される洗浄水の温度が調整される。使用者が便座温度調整スイッチ３３３を操作することにより、便座部４００の温度が調整される。
【００５３】
次に、本体部２００内に設けられた洗浄水噴出手段３０について説明を行う。図３は洗浄水噴出手段３０および制御部１５０の構成を示すブロック図である。
【００５４】
図３に示す洗浄水噴出手段３０は、開閉弁３４、温水加熱手段３１、切換弁３２、洗浄ノズル部３３、駆動手段５２、前後駆動モータ５３  、左右駆動モータ５４および制御部１５０を含む。
【００５５】
洗浄水噴出手段３０の制御部１５０は、開閉弁３４、温水加熱手段３１、切換弁３２、前後駆動モータ５３および左右駆動モータ５４の動作を制御する。
【００５６】
続いて本体部２００内に設けられた乾燥機能について説明を行う。図４は乾燥機能における空気噴出手段５０、加熱手段４０および制御部１５０の構成を示すブロック図である。
【００５７】
図４に示す空気噴出手段５０は、乾燥ノズル２０、エアポンプ５１、駆動手段５２、前後駆動モータ５３  、左右駆動モータ５４を含む。また、加熱手段４０は、エアファン４１、ヒータ４３および温風噴出口４２を含む。前記の駆動手段５２、前後駆動モータ５３、左右駆動モータ５４、制御部１５０は、前述する洗浄水噴出手段３０と共用している。
【００５８】
乾燥機能の制御部１５０は、エアポンプ５１、前後駆動モータ５３  、左右駆動モータ５４、エアファン４１およびヒータ４３の動作を制御する。そして、この乾燥機能は、加熱手段４０と空気噴射手段５０を同時に駆動させて、加熱手段４０により送風される温風を、空気噴射手段５０により噴射される加圧空気により誘引しながら混合して被乾燥面に噴射する第１の乾燥運転と、空気噴射手段５０だけを駆動して加圧空気だけ被乾燥面に噴射する第２の乾燥運転と、加熱手段４０だけを駆動して温風だけ被乾燥面に吹き出す第３の乾燥運転の３通りの運転パターンを有している。
【００５９】
図２の遠隔操作装置３００の乾燥モードスイッチ３２０ａ「急速乾燥運転」を選択した場合、第１の乾燥運転を所定時間運転することで乾燥を短時間に終了させる。また、乾燥モードスイッチ３２０ｂ「しっかり乾燥運転」を選択した場合は、第１の乾燥運転を急速乾燥運転よりも長く運転して被乾燥面の水滴を確実に除去し、その後、第３の乾燥運転である温風に切換えて被乾燥面を乾燥させる。そして、乾燥モードスイッチ３２０ｃ「温風乾燥運転」を選択した場合は、第３の乾燥運転を行う。
【００６０】
また、図２の遠隔操作装置３００の温風温度調節スイッチを「切」設定にして、「急速乾燥運転」を選択した場合は、第２乾燥運転により加圧空気だけを被乾燥面に噴射するようにしている。この場合は、特に夏場など気温が高い場合に選択できるようになっている。
【００６１】
図５は空気噴出手段５０における駆動手段５２の構成を示す斜視図である。
【００６２】
図５に示す駆動手段５２は、乾燥ノズル２０と、乾燥ノズル２０からの空気噴流を左右方向に揺動する揺動手段７０と、空気噴流を前後方向に往復動させる進退駆動手段７１と、ベース５５により構成しており、本駆動手段５２は本願発明の移動手段として、乾燥ノズル２０から噴射する加圧空気の被乾燥面に対する当接範囲を被乾燥面の全面に亘り任意
に移動させることができる。
【００６３】
乾燥ノズル２０は、円筒形状を成し、先端近傍の円筒周方向にエアノズル孔２１と洗浄水ノズル孔２２が設けられ、内部に加圧空気をエアノズル孔２１に導くエア空洞２３と、洗浄水を洗浄水ノズル孔２２に導く水用空洞２４が設けられている。すなわちこの乾燥ノズル２０は洗浄ノズル部３３を兼ねて構成されている。
【００６４】
エアポンプ５１からの加圧空気は、エアチューブ２５からエア空洞２３に供給されるように接続され、切換弁３２からの洗浄水は、水チューブ２６から水用空洞２４に供給されるように接続されている。エアチューブ２５と水チューブ２６は、乾燥ノズル２０が回転や前後駆動する際に、ねじれや屈曲の力が働くためゴムなどの軟質素材で構成する。
【００６５】
ベース５５は上面に前傾して構成したレール部５６に沿って乾燥ノズル２０を傾斜させて配置し、ベース先端に開孔して配置したガイド部５７に乾燥ノズル２０を通して保持する。このガイド部５７は摺動性のよい材質で構成し、乾燥ノズル２０がスムーズに回転および摺動するように適度にクリアランスを設けている。また、ベース５５上面にはレール部５６に沿ってスライドするスライダ５８を備え、乾燥ノズル２０の終端を回転自在に保持する。そしてスライダ５８の動作に合わせて乾燥ノズル２０はレール部５６に沿って駆動する。
【００６６】
進退駆動手段７１は、前後駆動モータ５３と、スライダ５８とネジ部５９により構成され、前後駆動モータ５３は、ベース５５の後部に配置し、レール部５６に平行に配置したネジ部５９を正逆回転するよう接続されている。このネジ部５９は、スライダ５８のナット部６０にセットされ、ネジ部５９の回転に従ってスライダ５８がレール部５９上を駆動する。したがって、前後駆動モータ５３の回転に合わせてスライダ５８に保持された乾燥ノズル２０が前後に進退駆動する。ここでの前方向とは図５のＡ方向を表し、後方向とはＢ方向を表しており、前方向は便座４００に着座した用便者の前面方向に対応し、後方向は用便者の背面方向に対応する。
【００６７】
揺動手段７０は、スライダ５８に配置した左右駆動モータ５４、歯車Ａ６１、歯車Ｂ６２および歯車Ｃ６３より成り、左右駆動モータ５４の回転を歯車Ａ６１、歯車Ｂ６２および歯車Ｃ６３を介して乾燥ノズル２０に伝える。したがって、左右駆動モータ５４の正逆回転に応じて乾燥ノズル２０が回転し、エアノズル孔２１から噴出する空気噴流は図５のＣおよびＤの右左方向に揺動する。
【００６８】
以下に制御部１５０における制御動作について図６、図７、図８および図９を加えて説明する。図６は制御部１５０による「おしり洗浄」および「乾燥」運転における制御動作のタイムチャート、図７は「おしり洗浄」および「乾燥」の運転状態の模式的断面図である。図８および図９は「乾燥」運転状態の被乾燥面における噴流の当接範囲Ｅの移動パターンを示す模式図である。なお図６に示す「乾燥」の運転モードは図２の乾燥モードスイッチ３２０ａが選択された状態の「急速乾燥運転」であり、温風温度調整スイッチ３４０は「中」設定とした状態のタイムチャートである。この「急速乾燥運転」は、乾燥機能における温風を加圧空気により誘引しながら被乾燥面に噴射する第１の乾燥運転で行う。
【００６９】
図６に示すように、まだ操作がされていない状態のＴ０の時点では、乾燥ノズル２０（洗浄ノズル部３３）の前後方向は後端の収納位置に配置されている。乾燥ノズル２０の左右方向は、揺動手段７０に設けた中心部位置を検出する位置センサ（図示せず）の検出位置に角度設定されている。この角度は中心角度となりエアノズル孔２１と洗浄水ノズル孔２２の噴流角度が上方向に設定される。
【００７０】
使用者が遠隔操作装置３００のおしりスイッチ３１２を押下操作するＴ１において、開閉弁３４が開き、水道水が温水加熱手段３１に流れ込む、内蔵の流量センサ（図示せず）が水流を検出すると、温水加熱手段３１への通電が開始され、加熱された温水が供給し始める。この時切換弁３２は便器側の流路に設定されているので、充分に温まっていない温水は便器６００内に排出される。
【００７１】
温水加熱手段３１からの出湯温度が所定の温度（例えば３６℃）に達した時点Ｔ２において、前後駆動モータ５３を運転させて洗浄ノズル部３３を中心部位置（例えば前方１００ｍｍ）まで前進させる。そしてＴ３において切換弁３２により洗浄水を洗浄ノズル部３３側に切換え、使用者の被洗浄面に洗浄水を噴出する。温水加熱手段３１への電力制御は、出湯温度を検出する温度センサ（図示せず）の検出温度が設定温度（例えば４０℃）になるように公知ＰＩＤやＦＦ制御を用いて行う。また、洗浄水の流量は切換弁３２の弁開度を調整することにより使用者の好みの量に設定されている。このおしり洗浄における被洗浄面の濡れ状態は図７（ａ）に示すように洗浄水が直接当たる中心部だけでなく、水滴が流れて周辺部を濡らしてしまう。
【００７２】
おしり洗浄が終了し、使用者が遠隔操作装置３００の停止スイッチ３１１を押下操作する図６のＴ４において、切換弁３２により洗浄水を便器６００側に切換え、洗浄ノズル部３３からの洗浄水噴出を停止すると同時に、温水加熱手段３１への通電を停止し、前後駆動モータ５３を逆転させて洗浄ノズル部３３を収納位置まで後退させる。そしてＴ５で開閉弁３４を閉じて通水を遮断して、洗浄動作を終了する。
【００７３】
なお本実施の形態では、おしり洗浄における動作を説明したが、遠隔操作装置３００のビデスイッチ３１３押下操作するビデ洗浄を押下操作する場合においても、基本となるシーケースは同様である。ただ、ビデ洗浄の場合は、ビデに対応する洗浄ノズル位置と流量設定に変更される。
【００７４】
次にＴ６において使用者が遠隔操作装置３００の乾燥スイッチ３１４を押下操作すると、エアファン４１とヒータ４３が運転され温風噴出口４２から温風を吹出すための制御を開始する。吹出される温風温度はヒータ４３への通電量をフィードバック制御して、適温に制御される。そして温風噴出口４２から使用者の洗浄面である被乾燥面の略全面に対して送風される。
【００７５】
この時同時にエアポンプ５１が短時間（たとえば１秒間）だけ運転され、加圧空気が乾燥ノズル２０のエアノズル孔２１より一瞬噴出される。この動作は、乾燥ノズル２０が収納位置にある状態で、乾燥ノズル２０表面に付着した水滴を吹き飛ばして、使用者に対して水滴の再付着を防止する。
【００７６】
その後、前後駆動モータ５３を運転させて乾燥ノズル２０を最前進位置（例えば前方１５０ｍｍ）まで前進させながら、左右駆動モータ５４を運転させて乾燥ノズル２０の左右角度を右端角度（例えば＋５０°）まで角度変更する。
【００７７】
Ｔ７において、エアポンプ５１の運転を開始して、被乾燥面に対してエアノズル孔２１から加圧空気の噴射を開始する。
【００７８】
そしてＴ７からＴ８の第１のステップにおいて、駆動手段５２の左右駆動モータ５４と前後駆動モータ５３の運転方向および運転速度を制御して、乾燥ノズル２０の前後駆動を所定範囲（例えば前方５０ｍｍから１５０ｍｍ）で高速に往復運転し、同時に乾燥ノズル２０の左右角度を右端角度から右側所定角度（例えば＋５０°から＋２０°）まで中心角度に向けてゆっくりと駆動させる。この第１のステップの動作は、乾燥ノズル２０からの
空気噴流が、使用者の被乾燥面の右側所定位置から前後方向に高速に移動しながら徐々に中心部に接近してくる。したがって、図８の動作パターンＰ１に示すように、空気噴流当接範囲Ｅは被乾燥面Ｆの右端の接線方向に高速に往復移動する周期移動しながら中心部Ｇに向けて徐々に漸進移動するので、図のようにジグザグの移動軌跡が描かれる。この結果、図７（ｂ）に示すように、被乾燥面の右側に広がって付着した水滴を、中心部方向に集めながら吹き飛ばすことができる。
【００７９】
図６のＴ８では一旦エアポンプ５１を停止して、乾燥ノズル２０の左右角度を左端角度（例えば−５０°）まで角度変更する。そしてＴ９において、エアポンプ５１の運転を再開して、加圧空気の噴射を開始する。
【００８０】
そしてＴ９からＴ１０の第２のステップにおいて、乾燥ノズル２０の前後駆動を第１のステップと同様に所定範囲（例えば前方５０ｍｍから１５０ｍｍ）で高速に往復運転し、同時に乾燥ノズル２０の左右角度を左端角度から左側所定角度（例えば−５０°から−２０°）まで中心角度に向けてゆっくりと駆動させる。この第２のステップの動作は、乾燥ノズル２０からの空気噴流が、使用者の被乾燥面の左側所定距離から前後方向に高速に移動する周期移動しながら徐々に中心部に漸進移動して接近してくる。したがって、図８の動作パターンＰ２に示すように、空気噴流の当接範囲Ｅは被乾燥面Ｆの左端の接線方向に高速に往復移動する周期移動しながら中心部Ｇに向けて徐々に漸進移動するので、図のようにジグザグの移動軌跡が描かれる。この結果、図７（Ｃ）に示すように、被乾燥面の左側に広がって付着した水滴を、中心部方向に集めながら吹き飛ばすことができる。
【００８１】
以上の第１のステップと第２のステップによって被洗浄面に付着して残る水滴は中心部を中心に前後残るのみとなる。
【００８２】
人体の臀部は肛門や陰茎の洗浄中心部に対して左右両サイドに凸部が形成されているため、便座に座った場合に洗浄中心部より左右両サイドが低くなる。したがって、洗浄水が左右に濡れ広がりやすく、乾燥時に最初に中心部に空気噴流を当ててしまうと、付着した水滴が左右に大きく広がり、濡れ面積が拡大してしまう。上述のように第１のステップと第２のステップによって被洗浄面の水滴が左右に広がるのを防止しながら吹き飛ばすので、効率の良い乾燥ができる。
【００８３】
第２のステップの終了時点Ｔ１０では、乾燥ノズル２０を最前進位置まで前進させる。そして、Ｔ１０からＴ１１の第３のステップにおいて、乾燥ノズル２０の前後駆動を最先進位置から中心部方向にゆっくり後退させながら、同時に乾燥ノズル２０の左右角度を右端角度から左端角度まで高速に往復駆動させる。この第３のステップの動作は、乾燥ノズル２０からの空気噴流が、被乾燥面上を左右方向に高速に移動に移動しながら前方の所定位置から後方に向かって徐々に中心部に接近してくる。したがて、図９の動作パターンＰ３に示すように、空気噴流の当接範囲Ｅは被乾燥面Ｆの先端の接線方向に高速に往復移動する周期移動をしながら中心部Ｇに向けて徐々に斬新移動するので、図のようにジグザグの移動軌跡が描かれる。この結果、被乾燥面の中心部Ｇより前方に残る水滴を、中心部Ｇ方向に集めながら吹き飛ばすことができる。
【００８４】
Ｔ１１では一旦エアポンプ５１を停止して、乾燥ノズル２０の前後方向位置を後部所定位置（例えば前方５０ｍｍ）まで移動させる。そしてＴ１２において、エアポンプ５１の運転を再開して、加圧空気の噴射を開始する。
【００８５】
そしてＴ１２からＴ１３の第４のステップにおいて、乾燥ノズル２０の前後駆動を後部所定位置から中心部方向にゆっくり前進させながら、同時に乾燥ノズル２０の左右角度を右端角度から左端角度まで高速に往復駆動させる。この第４のステップの動作は、乾燥ノ
ズル２０からの空気噴流が、被乾燥面上を左右方向に高速に移動に移動しながら後方の所定距離から前方に向かって徐々に中心部に接近してくる。したがって、図９の動作パターンＰ４に示すように、空気噴流の当接範囲Ｅは被乾燥面Ｆの後端の接線方向に高速に往復移動する周期移動をしながら中心部Ｇに向けて徐々に漸進移動するので、図のようにジグザグの移動軌跡が描かれる。この結果、被乾燥面の中心部Ｇより後方に残る水滴を、中心部Ｇ方向に集めながら吹き飛ばすことができる。
【００８６】
以上の第１から第４のステップによって被乾燥面に付着して残る水滴は中心部のみとなる。
【００８７】
前記の第１から第４のステップでの被乾燥面に付着する水滴への作用を説明する。各ステップの動作中の被乾燥面への空気噴流の駆動方向が、中心部に向けて移動する速度より、中心部に対して略接線方向の移動速度の方を充分に速くしているので、被乾燥面に衝突して広がる空気流れ方向が、前記の略接線方向に対して垂直方向の流れ成分が多くなる。したがって、この略接線方向に駆動する空気噴流と中心部の間に付着する水滴は、略接線方向に対して垂直方向の空気流に押されて中心部方向に移動するように作用する。そして徐々に空気噴流を中心部に接近させるので、中心部方向に集まってくる。この動きを第１から第４のステップにおいて右、左、前、後の４方向から行うことによって、水滴は中心部に集まる。このように第１から第４のステップが被乾燥面に付着する水滴を被乾燥面の中心部に集める工程となる。
【００８８】
Ｔ１３では再びエアポンプ５１を停止して、乾燥ノズル２０の前後方向位置を前方の所定位置（例えば前方１３０ｍｍ）まで移動させる。そしてＴ１４において、エアポンプ５１の運転を再開して、加圧空気の噴射を開始する。
【００８９】
そして、Ｔ１４からＴ１５の第５のステップにおいて、乾燥ノズル２０の前後駆動を前方の所定位置から後退を開始し、中心部を通過して、中心部より後方の所定距離（例えば前方５０ｍｍ）までをゆっくりと後退する。同時に乾燥ノズル２０の左右角度を右端角度から左端角度まで高速に往復駆動させる。この第５のステップの動作は、乾燥ノズル２０からの空気噴流が、被乾燥面上を左右方向に高速に移動する周期移動をしながら前方の所定位置から後方に向かって徐々に漸進移動をして中心部に接近し、さらに中心部を通過して後方の所定位置まで漸進移動する。したがって被乾燥面に対して空気噴流の当たる位置が前方から中心部を通って後方に徐々に移動するので、被乾燥面の中央部に残る水滴を、完全に吹き飛ばすことができる。すなわち、この第５のステップが集めた水滴を吹き飛ばす工程となる。
【００９０】
Ｔ１５でエアポンプ５１を停止して、乾燥ノズル２０の前後方向は後端の収納位置に移動させる。乾燥ノズル２０の左右方向は、中心角度に戻す。さらに、エアファン４１とヒータ４３の運転を停止して、温風噴出口４２から温風が吹出しを終了する。
【００９１】
以上、本実施の形態においては、乾燥ノズル２０からの加圧空気が被乾燥面に噴射される際に、温風噴出口４２から温風が被乾燥面に吹付けられているので、温風は加圧空気に誘引されて加圧空気を暖めながら噴射され、より効率よく乾燥するとともに、空気噴流の冷風感を防止することができる。
【００９２】
次に図２の乾燥モードスイッチ３２０ｂが選択された状態の「しっかり乾燥運転」での制御動作を図１０のタイムチャートを用いて説明する。この「しっかり乾燥運転」は、乾燥機能における温風を加圧空気により誘引しながら被乾燥面に噴射する第１の乾燥運転と、温風のみを被乾燥面に吹き出す第３の乾燥運転の組合せにより行う。
【００９３】
説明は図６のタイムチャートと異なる点を中心に行い、同一動作については同一の番号・記号を用いて説明は省略する。
【００９４】
図１０に示すように、Ｔ５１において使用者が遠隔操作装置３００の乾燥スイッチ３１４を押下操作すると、Ｔ５１からＴ６の間はエアファン４１とヒータ４３が運転され温風噴出口４２から温風運転のみを行う。すなわち、被乾燥面へ加圧空気を噴射する前に予め温風を吹き出す予熱工程となり、Ｔ７から被乾燥面に噴射される高圧空気に誘引される温風温度が充分に上昇するので、乾燥開始時に使用者に冷風感を与えることがない。この間約５秒程度は必要となる。またこの間は、エアファン４１の風量を低下させてヒータ４３の温度上昇を早くすることも有効である。
【００９５】
Ｔ７からＴ１３までは、図６と同様に第１から第４のステップで被乾燥面に付着する水滴を被乾燥面の中心部に集める工程が運転される。そして、Ｔ１４からＴ１８までが集めた水滴を吹き飛ばす工程となる。ただし、図６と異なる点は、乾燥ノズル２０の左右角度を右端角度から左端角度まで高速に往復駆動させながら、前後駆動を前方の所定位置から後方の所定位置までをゆっくりと後退、前進、後退と繰り返すことにある。すなわち、吹き飛ばし工程の時間を長くして、被乾燥面に残っている水滴を確実に除去している。この間、加圧空気の噴流が被乾燥面の中央部を３回通過するので、確実な水滴除去と乾燥促進が可能となる。
【００９６】
Ｔ１８でエアポンプ５１を停止して、乾燥ノズル２０の前後方向は後端の収納位置に移動させる。乾燥ノズル２０の左右方向は、中心角度に戻す。ここで第１の乾燥運転が終了する。
【００９７】
Ｔ１８からＴ１９の間は、第３の乾燥運転に切替わり、エアファン４１とヒータ４３だけの運転となる。この間で被乾燥面全体に温風を送風することにより、表面に残る水分が蒸散して肌にサラット感を与えることができる。
【００９８】
Ｔ１９は使用者が遠隔操作装置３００の停止スイッチ３１１を押下操作することにより、エアファン４１とヒータ４３の運転を停止して、温風噴出口４２から温風が吹出しを終了する。
【００９９】
ただし、乾燥終了は所定時間が経過して自動的に停止させてもよい。
【０１００】
また、温風温度の設定は第１の乾燥運転と、第３の乾燥運転で同じ条件としていたが、第１の乾燥では、温風が加圧空気により誘引され冷却されるので、選定温度を上げて運転した方が、冷風感防止と乾燥促進効果がより得られる。また、被乾燥面の水分量が乾燥時間経過と共に減少するため、表面での蒸発潜熱による冷却作用も減少するので、第３の乾燥運転時の温風温度設定は下げることが望ましい。これら温風温度設定を自動で行ってもよい。
【０１０１】
以上のように、おしり洗浄とビデと乾燥を１本のノズルで構成し、駆動手段も共用したので、ノズルの設置面積を小さくでき、さらに部品点数が少なくできるため、省スペース化や低コスト化が実現できる。
【０１０２】
さらに、乾燥のための加圧空気を単一のノズル孔から噴射するように構成しているので、低流量でも空気噴流の流速が大きくでき、小容量のエアポンプでも高い乾燥性能が得られる。すなわち、噴流の流速が大きいので被乾燥面に付着した水滴に噴流が当たる際の水滴を引き剥がすエネルギーが大きくなるため、水滴を効率よく吹き飛ばすことができる。
【０１０３】
上記のように空気噴出手段５０と加熱手段４０を同時に駆動し、加圧空気と温風との混合噴流を被乾燥面に噴射する第１の乾燥と、空気噴出手段５０だけを駆動する第２の乾燥と、加熱手段４０だけを駆動する第３の乾燥を有することで、季節や個人の好みに応じた乾燥条件を選択でき、使用者に冷風感を与えることなく短時間で効率よく被乾燥面を乾燥できるだけでなく、被乾燥皮膚面に到達する風速が秒速２０〜３０ｍの加圧空気を直径約１ｃｍ程度の大きさのように狭く局部的に当てながら、蛇行するように順次移動させることで、一種のマッサージのような効果による心地良さを得ることができる。しかも、加圧空気と温風との混合噴流を被乾燥面に噴射する第１の乾燥と、空気噴出手段５０だけを駆動する第２の乾燥と、加熱手段４０だけを駆動する第３の乾燥を有することで、組み合せにより個人の好みや状況に合った選択ができる。したがって、乾燥目的ではなく、マッサージ効果だけの目的で使用するモードスイッチをコントローラ３００に設けてもよい。
【０１０４】
なお、本実施の形態においては、おしり洗浄とビデを同一のノズル孔で行ったが、１本の円筒にそれぞれ単独のノズル孔を配置して構成してもよいし、おしり洗浄とビデをそれぞれ独立したノズルと駆動手段を配置しても良い。
【０１０５】
また、本実施の形態では洗浄と乾燥を一本の円筒で構成して、駆動手段を共用したが、これをそれぞれ独立したノズルと駆動手段で構成してもよい。
【０１０６】
さらに、本実施の形態では乾燥ノズルを単一のノズル孔により構成したが、複数のノズル孔により加圧空気を噴射する構成でもよいし、乾燥ノズルおよび駆動手段を複数配置してもよい。そして、複数の空気噴流により被乾燥面の水滴を中心部に集めるように駆動する方が乾燥時間を短縮することができる。また、本実施の形態においては加圧空気の流速を秒速２０〜３０ｍとしたが、水滴を吹き飛ばす効果を得るためには秒速１０ｍ以上が最低必要であり、噴流の当接範囲の大きさの設定要素であるノズル孔の大きさやノズル孔の数はエアポンプの能力と加圧空気の流速を考慮して選択する必要がある。
【０１０７】
また、本実施の形態では移動手段として乾燥ノズル全体を駆動手段で駆動する構成としたが、これに限るものではなく、乾燥ノズルのエアノズル孔のみ、あるいはエアノズル孔を含む周辺の部材のみを移動あるいは角度を変更することにより噴流の噴射方向を変更することにより、噴流の当接範囲を移動する構成としても良く、あるいはエアノズルの前方に噴流の方向をかえる風向変更手段を設ける構成等が考えられる。
【０１０８】
また、本実施の形態では第１のステップから第５のステップを順次実行したが、各ステップは繰り返し実行してもよいし、各ステップの順番を入れ替えてもよい。また、第１と第２のステップを省略しても良いし、第３と第４のステップを省略しても良い。
【０１０９】
（実施の形態２）
次に、本発明の第２の実施の形態に係る衛生洗浄装置について説明する。
【０１１０】
第２の実施の形態に係る衛生洗浄装置が、第１の実施の形態に係る衛生洗浄装置と異なるのは、以下の点である。
【０１１１】
図１１は、第２の実施の形態に係る衛生洗浄装置における空気噴出手段の乾燥ノズルおよび揺動手段の部分斜視図を示すものである。
【０１１２】
図１１に示す揺動手段８０は、乾燥ノズル８１の基部８２に一体的接続する回転軸部８３と、この回転軸部８３の軸心８４を中心に回動自在に支持するスライダ８５と、回転軸部８３を回転作用させる左右駆動モータ８６と、左右駆動モータ８６の回転力を回転軸部８３に伝達する歯車Ａ８７および歯車Ｂ８８を含む。
【０１１３】
スライダ８５による前後駆動機能は第１の実施の形態と同様であり、ナット部６０も同様に構成されている。
【０１１４】
乾燥ノズル８１の内部構成は第１の実施の形態と同様に円筒形状を成し、先端近傍の円筒周方向にエアノズル孔２１と洗浄水ノズル孔２２が設けられ、内部に加圧空気エア用のエア空洞（図示せず）と、洗浄水用の水用空洞（図示せず）が設けられている。第１の実施の形態と異なる点は、乾燥ノズル８１の基部８２が回転軸部８３に一体的に接続され、乾燥ノズル８１がこの回転軸部８３を中心に扇状に往復揺動することである。
【０１１５】
以上の構成において、空気噴流を左右に駆動させるのは、左右駆動モータ８６を正逆回転制御させて、乾燥ノズル８１を所定の角度まで回転させることにより、エアノズル孔２１自身の位置が左右の所定位置にまで移動することによって行う。
【０１１６】
そして、エアノズル孔２１からの空気噴流８９は、被乾燥面に対してほぼ垂直を保って噴出されるので、被乾燥面に付着する水滴に対しての剥離作用が高くなる。また、水滴が被乾燥面の外側に移動しようとする作用がより抑制できるので、中心部に水滴を集めやすくなる。さらに、左右に空気噴流を移動させても、被乾燥面に噴流が当たるまでの距離が離れないので、空気流速の高い噴流を被乾燥面に当てることができ、さらに水滴除去能力を向上できる。
【産業上の利用可能性】
【０１１７】
以上のように、本発明に係る空気噴出手段およびそれを備えた衛生洗浄装置は、少ない空気量でも効率良く水滴を吹き飛ばし、乾燥するので、衛生洗浄装置だけでなく、シャワーや手洗い等で濡れた身体の乾燥にも応用できる。また、食器洗浄機や洗車機、部品洗浄機などの洗浄機における水滴除去や乾燥の用途にも適用できる。
【図面の簡単な説明】
【０１１８】
【図１】本発明の実施の形態１における衛生洗浄装置を便器に装着した状態を示す斜視図
【図２】（ａ）は図１の衛生洗浄装置における遠隔操作装置の一例でコントローラ蓋を閉じた状態を示す模式図、（ｂ）は同コントローラ蓋を開いた状態を示す模式図
【図３】図１の衛生洗浄装置における洗浄水噴出手段の構成を示すブロック図
【図４】図１の衛生洗浄装置における空気噴出手段および加熱手段の構成を示すブロック図
【図５】図１の衛生洗浄装置における駆動手段の構成を示す斜視図
【図６】図１の衛生洗浄装置における「おしり洗浄」および「急速乾燥」運転の制御動作を示すタイムチャート
【図７】（ａ）は図１の衛生洗浄装置における「おしり洗浄」の運転状態の模式的断面図、（ｂ）は同装置における「乾燥」の第１のステップの運転状態の模式的断面図、（ｃ）は同装置における「乾燥」の第２のステップの運転状態の模式的断面図
【図８】図１の衛生洗浄装置における「乾燥」の第１および第２ステップの被乾燥面の空気噴流の移動パターンを示す模式図
【図９】図１の衛生洗浄装置における「乾燥」の第３および第４ステップの被乾燥面の空気噴流の移動パターンを示す模式図
【図１０】図１の衛生洗浄装置における「おしり洗浄」および「しっかり乾燥」運転の制御動作を示すタイムチャート
【図１１】本発明の第２の実施の形態に係る衛生洗浄装置における空気噴出手段の乾燥ノズルおよび揺動手段の部分斜視図
【図１２】従来の乾燥装置を備えた衛生洗浄装置の模式的平面図
【図１３】従来の乾燥装置を備えた衛生洗浄装置の模式的側断面図
【符号の説明】
【０１１９】
３０  洗浄水噴出手段
４０  加熱手段
５０  空気噴出手段
１００  衛生洗浄装置
４００  便座部